(57)【要約】【課題】ユーザの操作をなるべく省いて、電波の受信感度が良好な無線通信を行うことができる携帯端末装置を提供する。【解決手段】筐体と、筐体に引き出し自在に収容されるアンテナと、アンテナの引出しを指示する引出指示を受けて、そのアンテナを筐体から引き出す引出機構と、通信機能についての所定のイベントを受けて、引出機構に引出指示を与える指示部とを備えた。通信機能についての所定のイベントが行われると、引出機構に引出指示が与えられて筐体からアンテナが自動的に引き出される。このため、ユーザが手動でアンテナを引き出す手間を省くことができ、電波の受信感度が良好な無線通信を実現することができる。【選択図】        図７
2010124253.tif 000002
【特許請求の範囲】
【請求項１】
通信機能を有する携帯端末装置において、
筐体と、
前記筐体に引き出し自在に収容されるアンテナと、
前記アンテナの引出しを指示する引出指示を受けて、該アンテナを前記筐体から引き出す引出機構と、
前記通信機能についての所定のイベントを受けて、前記引出機構に前記引出指示を与える指示部とを備えたことを特徴とする携帯端末装置。
【請求項２】
所定の操作を受けて前記通信機能の起動を検知する起動検知部を有し、前記指示部は、前記起動検知部による該通信機能の起動の検知を受けて、前記引出機構に前記引出指示を与えるものであることを特徴とする請求項１記載の携帯端末装置。
【請求項３】
前記アンテナで受信される電波の受信レベルが所定の閾値レベルを下回ったことを検知するレベル検知部を有し、前記指示部は、前記レベル検知部による検知を受けて、前記引出機構に前記引出指示を与えるものであることを特徴とする請求項１記載の携帯端末装置。
【請求項４】
前記引出機構が、前記アンテナを引出し方向に付勢する付勢部材と、該アンテナの引出しを制止する制止部材と、前記引出指示を受けて該制止部材による該アンテナの引出しの制止を解除する解除手段とを備えたものであることを特徴とする請求項１から３のうちのいずれか１項記載の携帯端末装置。
【請求項５】
前記引出機構が、通電を受け、該通電方向に応じて前記アンテナを引出し方向、および収容方向に移動させるものであることを特徴とする請求項１または２記載の携帯端末装置。
【発明の詳細な説明】
【技術分野】
【０００１】
本発明は、筐体に引き出し自在に収容されるアンテナを備えた携帯端末装置に関する。
【背景技術】
【０００２】
近年、携帯電話機には、標準的な通話機能や電子メールの送受信機能などに加えて、被写体を撮影するためのカメラ機能や、ウェブサイトを閲覧するためのブラウザ機能や、テレビ番組を視聴するためのワンセグ機能などが搭載されてきている。携帯電話機は、単にコミュニケーションを図るための手段にとどまらず、デジタルカメラ、パーソナルコンピュータ、およびテレビの代わりとなる自分専用の多機能端末として幅広い年代に利用されてきている。
【０００３】
ところで、通常のテレビやパーソナルコンピュータは、表示画面が横長形状であるのに対し、携帯電話機は、片手での把持性や操作性を向上させるために端末全体が縦長形状を有しており、表示画面も縦長形状であることが一般的である。このため、テレビを視聴する場合などには、表示画面が設けられた上部筐体をキー等が配備された下部筐体に対して回転させ、さらに、表示画面に対して画像を横向きに表示することが広く行われている。このように、上部筐体を下部筐体に対して横向きに倒すことによって、表示画面を有効に利用して画像を大きく表示させることができるとともに、携帯電話機を縦向きに把持したままでテレビを視聴することができる。
【０００４】
また、特許文献１には、上部筐体と下部筐体との位置関係を検出して、その携帯用電子装置の動作モードを自動設定する技術について記載されている。この技術を利用し、例えば、上部筐体が下部筐体に対して横向きに倒されたことを検出し、携帯電話機の動作モードをワンセグモードに自動設定することによって、ユーザがキーなどを操作する手間を省くことができる。
【特許文献１】特表２００３−５３２３５１号公報
【発明の開示】
【発明が解決しようとする課題】
【０００５】
しかし、携帯電話機は、周囲をビルなどで囲まれた屋外で使用されることも多く、固定アンテナを利用している通常のテレビと比較して電波状況が不安定である。このため、携帯電話機でテレビ番組を視聴するときには、携帯電話機の動作モードをワンセグモードに設定した後、さらに、筐体内に収容されたアンテナを引き出す必要があり、操作が面倒であるという問題がある。
【０００６】
尚、この問題は、携帯電話機でテレビ番組を視聴する場合だけではなく、可搬型の携帯端末装置でアンテナを使った無線通信を行う場合一般に当てはまる問題である。
【０００７】
上記事情に鑑み、本件開示の携帯端末装置の課題は、ユーザの操作をなるべく省いて、電波の受信感度が良好な無線通信を行うことにある。
【課題を解決するための手段】
【０００８】
上記目的を達成する携帯端末装置の基本形態は、
通信機能を有する携帯端末装置において、
筐体と、
筐体に引き出し自在に収容されるアンテナと、
アンテナの引出しを指示する引出指示を受けて、アンテナを筐体から引き出す引出機構と、
通信機能についての所定のイベントを受けて、引出機構に引出指示を与える指示部とを備えたことを特徴とする。
【０００９】
この携帯端末装置の基本形態によると、例えばワンセグモードが設定されるなど、通信機能についての所定のイベントが行われると、引出機構に引出指示が与えられて筐体からアンテナが自動的に引き出される。このため、ユーザが手動でアンテナを引き出す手間を省くことができ、電波の受信感度が良好な無線通信を実現することができる。
【発明の効果】
【００１０】
以上説明したように、本件開示の携帯端末装置によると、ユーザの操作をなるべく省いて、電波の受信感度が良好な無線通信を行うことができる。
【発明を実施するための最良の形態】
【００１１】
以下、図面を参照して本発明の実施の形態を説明する。
【００１２】
図１は、上述した携帯端末装置の一実施形態である携帯電話機の外観斜視図である。
【００１３】
この携帯電話機１００には、外部装置との間で音声や電子メールなどを送受信するデータ通信機能に加えて、被写体を撮影する撮影機能や、テレビ番組を閲覧するためのワンセグ機能などが搭載されている。
【００１４】
携帯電話機１００は、液晶パネル１０１が設けられた上部筐体１００Ａと、ユーザが手で持つ下部筐体１００Ｂと、下部筐体１００Ｂにヒンジ接続された連結部材１００Ｃとで構成されている。上部筐体１００Ａは、連結部材１００Ｃを介して、下部筐体１００Ｂに対して矢印Ａ方向に回転自在かつ矢印Ｂ方向に開閉自在に保持されている。上部筐体１００Ａと下部筐体１００Ｂとを合わせたものは、上述した筐体の一例に相当する。
【００１５】
下部筐体１００Ｂの上面には、各種機能の選択や撮影を行う際のシャッタボタンとして使用される選択ボタン１０４、電話番号等を入力するためのプッシュボタン１０５、および声を内蔵されたマイクロフォンに伝えるための受話口１０６等が備えられており、下部筐体１００Ｂの一側面には、筐体内に収容可能なアンテナ３００が取り付けられている。アンテナ３００は、上述したアンテナの一例に相当する。
【００１６】
連結部材１００Ｃには、上部筐体１００Ａの縁と対向する位置に磁気センサ２１１が内蔵されている。
【００１７】
上部筐体１００Ａには、電話番号やテレビ番組や撮影画像などが表示される液晶パネル１０１が設けられており、内蔵されたスピーカから発せられる音声を放つための送話口１０２が備えられている。また、上部筐体１００Ａには、上部筐体１００Ａを矢印Ａ方向に回転させて、上部筐体１００Ａを下部筐体１００Ｂに対して傾けた状態で、連結部材１００Ｃの磁気センサ２１１と対向する２箇所に磁石２１２，２１３が内蔵されている。
【００１８】
図２は、上部筐体１００Ａが取り外された状態における下部筐体１００Ｂと連結部材１００Ｃの表面側を示す図であり、図３は、上部筐体１００Ａの裏面側を示す図である。
【００１９】
図２に示すように、下部筐体１００Ｂと連結部材１００Ｃは、ヒンジ部２００において折り畳み自在に連結されている。ヒンジ部２００には、上部筐体１００Ａが突き当てられる突当台２０１が形成されており、連結部材１００Ｃの表面側には、上下方向に延びる上下溝２１０が設けられている。
【００２０】
また、図３に示すように、上部筐体１００Ａの裏面側には、突起３１０が設けられている。図３に示す上部筐体１００Ａの突起３１０が、図２に示す連結部材１００Ｃの上下溝２１０に嵌め込まれることによって、上部筐体１００Ａが連結部材１００Ｃに回動自在に支持される。
【００２１】
続いて、携帯電話機の内部構造について説明する。
【００２２】
図４は、携帯電話機の内部ブロック図である。
【００２３】
図４には、図１にも示すアンテナ３００や磁気センサ２１１に加えて、ＣＰＵ１１０、ＲＯＭ１１１、不揮発メモリ１１２、ＲＡＭ１１３、マイクデバイス１２１、表示デバイス１２２、スピーカデバイス１２３、キーデバイス１２４、カメラデバイス１２５、時計１２６、近距離通信デバイス１３１、遠距離通信デバイス１３２、テレビデバイス１３３、メディアコントローラ１４０、充電池１５０、およびアンテナ引出部３１０が示されており、これらの間はバスを介して互いに接続されている。
【００２４】
ＣＰＵ１１０は、各種プログラムを実行する機能を有し、この携帯電話機１００の全体を制御している。
【００２５】
ＲＯＭ１１１には、ＣＰＵ１１０で実行される各種プログラムなど、書き換えられない情報が記憶されている。
【００２６】
不揮発メモリ１１２には、アドレス帳や受信した電子メールなど、書き換えられることがありうるとともに、電力の供給が停止されても保持される情報が記録されている。
【００２７】
ＲＡＭ１１３は、電力が供給されている間のみ情報が保持される揮発性メモリである。ＣＰＵ１１０は、ＲＯＭ１１１や不揮発性メモリ１１２に記憶されたプログラムをＲＡＭ１１３上に展開し、ＲＡＭ１１３を作業領域として使いながら実行する。
【００２８】
マイクデバイス１２１は、ユーザの声をピックアップするマイクロホンおよびそのマイクロホンでピックアップされた声を処理する機能ブロックである。
【００２９】
スピーカデバイス１２３は、ユーザに向けて音声を出力するスピーカ、およびそのスピーカを駆動する音声信号を生成する機能ブロックである。
【００３０】
近距離通信デバイス１３１は、近距離にある外部装置に画像や電話番号などを基地局を介さずに送信するためのものであり、例えば、赤外線通信等が採用される。
【００３１】
遠距離通信デバイス１３２は、アンテナ３００を使った音声データや電子メールの送受信等を担っている。遠距離通信デバイス１３２では、基地局を介してデータの送受信が行われる。
【００３２】
カメラデバイス１２５は、写真撮影による画像データの収集を司るブロックであり、表示デバイス１２２は、ＬＣＤ１０１（図１参照）への画像表示を司るブロックであり、キーデバイス１２４は、ユーザによる各種操作キー１０４，１０５（図１参照）のキー操作を検出するブロックであり、時計１２６は、現在時刻を取得するためのブロックである。
【００３３】
テレビデバイス１３３は、アンテナ３００で受信した電波をチューナでデジタルの番組データに変換し、番組データが表わすテレビ番組を液晶パネル１０１（図１参照）に表示させるブロックである。
【００３４】
アンテナ引出部３１０は、テレビ番組を視聴するワンセグモードの設定を受けて下部筐体１００Ｂからアンテナ３００を引き出すためのものである。アンテナ引出部３１０の構成については、後で詳しく説明する。このアンテナ引出部３１０は、上述した引出機構の一例に相当する。
【００３５】
メディアコントローラ１４０は、記録メディア１４１からデータを読み出したり、カメラデバイス１２５で生成された画像データ等を記録メディア１４１に書き込むためのものである。
【００３６】
携帯電話機１００は、外観およびハードウェア上は以上のように構成されている。
【００３７】
ここで、この携帯電話機１００は、ユーザの操作に応じてワンセグモードが設定されると、テレビデバイス１３３が起動して、ＬＣＤ１０１にテレビ番組を表示するワンセグ機能が実行されるとともに、下部筐体１００Ｂから自動的にアンテナ３００が引き出される。
【００３８】
図５は、ワンセグモードが設定されてからアンテナ３００が引き出されるまでの一連の処理の流れを示すフローチャート図である。
【００３９】
ユーザが携帯電話機１００を操作してワンセグモードの設定を指示すると、ＣＰＵ１１０において、携帯電話機１００の動作モードがワンセグモードに設定される（図５のステップＳ１）。本実施形態においては、ユーザが携帯電話機１００の上部筐体１００Ａを図１の矢印Ａ方向に回転させて、上部筐体１００Ａを下部筐体１００Ｂに対して傾けることによって、携帯電話機１００の動作モードがワンセグモードに設定される。
【００４０】
図６は、上部筐体１００Ａを下部筐体１００Ｂに対して傾ける動作を示す図である。
【００４１】
上部筐体１００Ａが下部筐体１００Ｂに対して傾けられていない起立状態では（図６のステップＳ１１）、上部筐体１００Ａに設けられた２つの磁石２１２，２１３は、連結部材１００Ｃに設けられた磁気センサ２１１と対向していない。したがって、この起立状態においては、磁気センサ２１１で磁場が検知されない。
【００４２】
上部筐体１００Ａを左側に傾けると、まず、突起３１０が上下溝２１０に案内されて上方向に移動しながら回転する（図６のステップＳ１２）。さらに、上部筐体１００Ａを回転させると、左下隅が連結部材１００Ｃの突当台２０１によって案内されるとともに、突起３１０が上下溝２１０に案内されて下方向に移動し、上部筐体１００Ａが下部筐体１００Ｂに対して左側に倒れる（図６のステップＳ１４）。ステップＳ１４に示す左倒状態では、上部筐体１００Ａの左側に設けられた磁石２１２が磁気センサ２１１と対向し、磁気センサ２１１において、磁石２１２の磁場が検知される。
【００４３】
また、上部筐体１００Ａを右側に傾けた場合、突起３１０が上下溝２１０に案内されて上方向に移動しながら回転し（図６のステップＳ１３）、さらに上部筐体１００Ａを回転させると、今度は突起３１０が上下溝２１０に案内されて下方向に移動して、上部筐体１００Ａが下部筐体１００Ｂに対して右側に倒れる（図６のステップＳ１５）。ステップＳ１５に示す右倒状態では、上部筐体１００Ａの右側に設けられた磁石２１３が磁気センサ２１１と対向し、磁気センサ２１１において、磁石２１３の磁場が検知される。
【００４４】
以上のように、上部筐体１００Ａが下部筐体１００Ｂに対して傾けられると、磁石２１２，２１３が磁気センサ２１１と対向する位置に移動されて、磁気センサ２１１で磁場が検知される。すなわち、磁気センサ２１１で磁場が検知されることによって、上部筐体１００Ａの回転を検出することができる。
【００４５】
磁気センサ２１１では、磁石２１２，２１３の磁場が検知されると、ＣＰＵ１１０に検知結果が送られる。ＣＰＵ１１０では、磁気センサ２１１から検知結果が取得されることによって上部筐体１００Ａの回転が検出され、携帯電話機１００の動作モードがワンセグモードに設定される。ＣＰＵ１１０は、上述した指示部の一例に相当する。
【００４６】
ここで、上述した携帯端末装置の基本形態に対し、
所定の操作を受けて前記通信機能の起動を検知する起動検知部を有し、上記指示部は、起動検知部による通信機能の起動の検知を受けて、引出機構に前記引出指示を与えるものであることを特徴とするという応用形態は好ましい。
【００４７】
この携帯端末装置の応用形態によると、ユーザは通信機能の起動操作を行うことによってアンテナの引出指示も自動的に与えることができ、アンテナを引き出すための操作を省くことができる。磁気センサ２１１と磁石２１２，２１３とを合わせたものは、上述した起動検知部の一例に相当する。
【００４８】
また、上述した携帯端末装置の基本形態に対し、
上記筐体は、表示画面を備えた上部筐体と、上部筐体を開閉自在および表示画面の面内方向に回転自在に保持する下部筐体とを備えたものであり、
上記起動検知部は、上部筐体の回転を検知する回転検知センサを備え、上部筐体の回転を回転検知センサで検知することによって通信機能の起動を検知するものであるという応用形態は好適である。
【００４９】
従来から、テレビを視聴するワンセグモードでは、上部筐体が下部筐体に対して回転されて表示画面が横向きに設定されることが多い。この好適な携帯端末装置の応用形態によると、上部筐体の回転が検知されることによってワンセグモードの起動が検知されるため、ユーザは表示画面の向きを合わせるだけで容易にワンセグモードの設定を行うことができる。上部筐体１００Ａは、上述した上部筐体の一例にあたり、下部筐体１００Ｂは、上述した下部筐体の一例にあたり、磁気センサ２１１は、上述した回転検知センサの一例に相当する。
【００５０】
また、上記回転検知センサは、磁気センサであるという応用形態も好ましい。
【００５１】
回転検知センサとして磁気センサが利用されることによって、簡易な構成で上部筐体の回転を検知することができる。磁気センサ２１１は、上述した磁気センサの一例に相当する。
【００５２】
ユーザが上部筐体１００Ａを下部筐体１００Ｂに対して倒すことによって、携帯電話機１００の動作モードがワンセグモードに設定されると、ＣＰＵ１１０からテレビデバイス１３３およびアンテナ引出部３１０にワンセグ機能の起動指示が与えられる（図５のステップＳ１）。
【００５３】
テレビデバイス１３３は、ワンセグ機能の起動指示に応じて、ＬＣＤ１０１上にテレビ番組を表示させ、アンテナ引出部３１０は、ワンセグ機能の起動指示に応じて、下部筐体１００Ｂからアンテナ３００を引き出す。
【００５４】
図７は、アンテナ３００およびアンテナ引出部３１０の構成図である。
【００５５】
図７（Ａ）には、アンテナ３００が下部筐体１００Ｂ内に収容された状態が示されており、図７（Ｂ）には、アンテナ３００が下部筐体１００Ｂから引き出された状態が示されている。
【００５６】
図７に示すように、アンテナ３００は、先端部３０１、中央部３０２、および後端部３０３で構成されており、後端部３０３がアンテナ引出部３１０に保持されている。また、アンテナ引出部３１０は、アンテナ３００を引出方向Ａに向けて付勢するバネ３１４と、アンテナ３００の移動を案内する筒状部材３１３と、アンテナ３００の移動を制止する留め具３１２と、留め具３１２を解除する解除部３１１とで構成されており、下部筐体１００Ｂ内に収容されている。
【００５７】
アンテナ３００の後端部３０３は、アンテナ引出部３１０の筒状部材３１３内に挿入されており、後端をバネ３１４によって付勢されている。また、アンテナ３００の中央部３０２は、後端部３０３に図７の左右方向に移動自在に保持されており、さらに、先端部３０１は中央部３０２に図７の左右方向に移動自在に保持されている。
【００５８】
アンテナ３００が下部筐体１００Ｂ内に収容された状態では、図７（Ａ）に示すように、アンテナ３００の後端部３０３がバネ３１４の付勢力に逆らって筒状部材３１３の奥に押し込まれており、アンテナ引出部３１０の留め具３１２によって後端部３０３および中央部３０２がロックされて移動が制止される。
【００５９】
アンテナ引出部３１０では、ＣＰＵ１１０からワンセグ機能の起動指示が与えられると、解除部３１１によって留め具３１２が動かされてロックが解除される。その結果、図７（Ｂ）に示すように、アンテナ３００の後端部３０３がバネ３１４の付勢力によって筒状部材３１３に沿って矢印Ａ方向に移動し、その勢いによって、アンテナ３００の中央部３０２が後端部３０３から突出し、さらに、アンテナ３００の先端部３０１が中央部３０２から突出する。このようにして、アンテナ３００が下部筐体１００Ｂの外部に引き出される（図５のステップＳ４）。
【００６０】
ここで、上述した携帯端末装置の基本形態に対し、
上記引出機構が、アンテナを引出し方向に付勢する付勢部材と、アンテナの引出しを制止する制止部材と、引出指示を受けて制止部材によるアンテナの引出しの制止を解除する解除手段とを備えたものであるという応用形態は好ましく、さらに、
付勢部材は、一端側が筐体に固定され、一端側に対する他端側でアンテナを引出し方向に押圧するバネであるという応用形態も好ましい。
【００６１】
アンテナをバネなどによって付勢し、ワンセグ機能の起動指示に応じて、アンテナの引出しを制止するロックを解除することによって、容易にアンテナを引き出すことができる。バネ３１４は、上述した付勢部材およびバネそれぞれの一例にあたり、留め具３１２は、上述した制止部材の一例に相当し、解除部３１１は、上述した解除手段の一例に相当する。
【００６２】
また、ユーザがアンテナ３００の先端部３０１をバネ３１４の付勢力に逆らって押圧すると、先端部３０１が中央部３０２に収容されるとともに、中央部３０２が後端部３０３に収容される。さらに、アンテナ引出部３１０の留め具３１２によって後端部３０３および中央部３０２がロックされることにより、アンテナ３００が下部筐体１００Ｂ内に収容される。
【００６３】
このように、本実施形態の携帯電話機１００によると、ユーザが上部筐体１００Ａを下部筐体１００Ｂに対して傾けると、ワンセグ機能が起動されるとともに、アンテナ３００が下部筐体１００Ｂから自動的に引き出される。したがって、ユーザが手動でアンテナ３００を引き出す手間を省いて、電波の受信感度を向上させることができる。
【００６４】
以上で、第１実施形態の説明を終了し、第２実施形態について説明する。この第２実施形態は、磁気センサ２１１に代えてフォトインタラプタが備えられている点が第１実施形態とは異なる。このため、第１実施形態と同じ要素については同じ符号を付して説明を省略し、第１実施形態との相違点についてのみ説明する。
【００６５】
図８は、第２実施形態の携帯電話機１００＿２を示す図である。
【００６６】
この携帯電話機１００＿２の連結部材１００Ｃには、図１に示す第１実施形態の携帯電話機１００の磁気センサ２１１に代えてフォトインタラプタ２１１＿２が内蔵されており、上部筐体１００Ａには、２つの磁石２１２，２１３に代えて赤外線ダイオード２１２＿２，２１３＿２が内蔵されている。
【００６７】
図８（Ａ）に示すように、上部筐体１００Ａが下部筐体１００Ｂに対して傾けられていない起立状態では、２つの赤外線ダイオード２１２＿２，２１３＿２がともにフォトインタラプタ２１１＿２と対向していないため、フォトインタラプタ２１１＿２では赤外線が受光されない。
【００６８】
上部筐体１００Ａを下部筐体１００Ｂに対して倒すと、図８（Ｂ）に示すように、赤外線ダイオード２１２＿２，２１３＿２のうち倒す向きに応じた赤外線ダイオードがフォトインタラプタ２１１＿２と対向する。この図８（Ｂ）では、上部筐体１００Ａが左側に倒されることによって、左側の赤外線ダイオード２１２＿２がフォトインタラプタ２１１＿２と対向し、フォトインタラプタ２１１＿２で赤外線が受光される。
【００６９】
フォトインタラプタ２１１＿２では、赤外線が受光されると、ＣＰＵ１１０に上部筐体１００Ａの回転が伝えられ、ＣＰＵ１１０では、携帯電話機１００の動作モードがワンセグモードに設定される。
【００７０】
ここで、回転検知センサを有する携帯端末装置の応用形態において、回転検知センサは、フォトインタラプタであることも好ましい。
【００７１】
フォトインタラプタ２１１＿２は、上述したフォトインタラプタの一例に相当する。
【００７２】
このように、フォトインタラプタ２１１＿２と赤外線ダイオード２１２＿２とを備えることによっても、上部筐体１００Ａの回転を容易に検出することができる。
【００７３】
以上で、第２実施形態の説明を終了し、第３実施形態について説明する。この第３実施形態は、磁気センサ２１１に代えて傾きセンサが備えられている点が第１実施形態とは異なる。このため、第１実施形態と同じ要素については同じ符号を付して説明を省略し、第１実施形態との相違点についてのみ説明する。
【００７４】
図９は、第３実施形態の携帯電話機１００＿３を示す図である。
【００７５】
この携帯電話機１００＿３の連結部材１００Ｃおよび上部筐体１００Ａには、傾きを検知する傾きセンサ２１４，２１５が内蔵されている。連結部材１００Ｃに内蔵された傾きセンサ２１４では、携帯電話機１００＿３全体の傾きが検知され、上部筐体１００Ａに内蔵された傾きセンサ２１５では、携帯電話機１００＿３全体が傾けられた場合に加えて、上部筐体１００Ａが回転されることにる傾きも検知される。
【００７６】
図９（Ａ）に示すように、上部筐体１００Ａが下部筐体１００Ｂに対して傾けられていない起立状態では、２つの傾きセンサ２１４，２１５において傾きが検知されない。
【００７７】
また、例えば、ユーザが図９（Ａ）に示す起立状態の携帯電話機１００＿３を落とした場合、上部筐体１００Ａ、下部筐体１００Ｂ、および連結部材１００Ｃが一体的に傾くため、２つの傾きセンサ２１４，２１５それぞれで傾きが検知される。傾きセンサ２１４，２１５の検知結果はＣＰＵ１１０に伝えられる。ＣＰＵ１１０では、２つの傾きセンサ２１４，２１５の両方から検知結果が伝えられた場合は、ワンセグモードの設定が行われない。
【００７８】
上部筐体１００Ａを下部筐体１００Ｂに対して倒すと、図９（Ｂ）に示すように、下部筐体１００Ｂと連結部材１００Ｃは傾いていないため、連結部材１００Ｃに内蔵された傾きセンサ２１４では傾きが検知されず、上部筐体１００Ａに内蔵された傾きセンサ２１５でのみ傾きが検知される。ＣＰＵ１１０では、上部筐体１００Ａの傾きセンサ２１５でのみ傾きが検知された場合に、上部筐体１００Ａの回転が検出され、携帯電話機１００の動作モードがワンセグモードに設定される。
【００７９】
ここで、回転検知センサを有する携帯端末装置の応用形態において、回転検知センサは、下部筐体に備えられた、下部筐体の傾きを検知する第１傾きセンサと、上部筐体に備えられた、上部筐体の傾きを検知する第２傾きセンサとからなり、第１傾きセンサで傾きが検知されず第２センサで傾きが検知されたことをもって、上部筐体の回転を検知するものであるという応用形態は好ましい。
【００８０】
連結部材１００Ｃに内蔵された傾きセンサ２１４は、上述した第１傾きセンサの一例にあたり、上部筐体１００Ａに内蔵された傾きセンサ２１５は、上述した第２センサの一例に相当する。
【００８１】
このように、上部筐体１００Ａに傾きセンサを備えるとともに、下部筐体１００Ｂや連結部材１００Ｃにも傾きセンサを備えることによって、上部筐体１００Ａの回転を精度良く検出することができる。
【００８２】
以上で、第３実施形態の説明を終了し、第４実施形態について説明する。この第４実施形態は、磁気センサ２１１に代えて機械スイッチが備えられている点が第１実施形態とは異なる。本実施形態においても、第１実施形態と同じ要素については同じ符号を付して説明を省略し、第１実施形態との相違点についてのみ説明する。
【００８３】
図１０は、第４実施形態の携帯電話機１００＿４における上部筐体１００Ａ＿４と連結部材１００Ｃ＿４を示す図である。
【００８４】
図１０に示すように、本実施形態の携帯電話機１００＿４では、上部筐体１００Ａ＿４の下縁に穴１００１が設けられており、連結部材１００Ｃ＿４の、図６のステップＳ１１に示す起立状態において穴１００１と対応する位置に機械スイッチ１００２が取り付けられている。
【００８５】
図１１は、上部筐体１００Ａ＿４を下部筐体１００Ｂ＿４に対して傾ける動作を示す図である。
【００８６】
図１１（Ａ）に示す起立状態では、連結部材１００Ｃ＿４に取り付けられた機械スイッチ１００２が上部筐体１００Ａ＿４の下縁に設けられた穴１００１に挿入されており、機械スイッチ１００２は押されていない。
【００８７】
上部筐体１００Ａ＿４を下部筐体１００Ｂ＿４に対して傾けると、図１１（Ｂ）に示すように、機械スイッチ１００２が上部筐体１００Ａ＿４によって押下される。
【００８８】
ここで、回転検知センサを有する携帯端末装置の応用形態において、回転検知センサは、機械スイッチあることも好ましい。
【００８９】
機械スイッチ１００２は、上述した機械スイッチの一例に相当する。機械スイッチ１００２を利用することによっても、上部筐体１００Ａ＿４の回転を容易に検出することができる。
【００９０】
以上で、第４実施形態の説明を終了し、第５実施形態について説明する。この第５実施形態は、選択ボタン１０４が操作されることによってアンテナ３００の引き出しが指示される点が第１実施形態とは異なる。本実施形態においても、第１実施形態と同じ要素については同じ符号を付して説明を省略し、第１実施形態との相違点についてのみ説明する。
【００９１】
本実施形態の携帯電話機では、図１に示す第１実施形態と携帯電話機１００と同様に、ユーザが上部筐体１００Ａを下部筐体１００Ｂに対して回転させることによって、動作モードがワンセグモードに設定される。本実施形態においては、ＣＰＵ１１０からテレビデバイス１３３と表示デバイス１２２にワンセグ機能の起動指示が与えられるが、アンテナ引出部３１０には起動指示が伝えられない。
【００９２】
テレビデバイス１３３は、ワンセグ機能の起動指示に応じて、ＬＣＤ１０１上にテレビ番組を表示させ、表示デバイス１２２は、ワンセグ機能の起動指示に応じて、ＬＣＤ１０１上にアンテナ引出しボタンを表示させる。
【００９３】
図１２は、テレビ番組が表示されたＬＣＤ１０１の一例を示す図である。
【００９４】
図１２に示すように、ＬＣＤ１０１上のテレビ領域１０１Ａにはテレビ番組が表示されており、テレビ領域１０１Ａの外にアンテナ引出しボタン１０１＿Ｂも表示されている。
【００９５】
ユーザが図１に示す選択ボタン１０４を使ってアンテナ引出しボタン１０１＿Ｂを選択すると、選択内容がキーデバイス１２４を介してＣＰＵ１１０に伝えられる。
【００９６】
ＣＰＵ１１０では、アンテナ引出しボタン１０１＿Ｂが選択されたことを受けて、アンテナ引出部３１０にアンテナ３００の引き出しが指示される。
【００９７】
ここで、上述した携帯端末装置の基本形態において、上記筐体は、操作に応じた指示を入力するための複数のキーを備えたものであり、
起動検知部は、複数のキーのうちの所定のキーの操作を受けて、通信機能の起動を検知するものであるという応用形態は好ましい。
【００９８】
選択ボタン１０４は、上述したキーの一例に相当する。本実施形態によると、ワンセグモード設定時ではなく、ユーザのキー操作に応じてアンテナを自動的に引き出すことができる。
【００９９】
以上で、第５実施形態の説明を終了し、第６実施形態について説明する。この第６実施形態は、アンテナ３００の受信状態に応じてアンテナ３００の引き出しが指示される点が第１実施形態とは異なる。本実施形態においても、第１実施形態と同じ要素については同じ符号を付して説明を省略し、第１実施形態との相違点についてのみ説明する。
【０１００】
本実施形態の携帯電話機では、ワンセグモード設定時ではなく、携帯電話機でテレビ視聴、電子メールの送受信、ウェブサイトの閲覧などといった通信機能を使用中にアンテナ３００の受信レベルが低下したときにアンテナ３００の引き出しが指示される。
【０１０１】
図１３は、アンテナ３００が引き出されるまでの一連の処理の流れを示すフローチャート図である。
【０１０２】
本実施形態では、アンテナ３００に受信強度を検知する受信強度センサが備えられている。受信強度センサでは、携帯電話機で通信機能を使用中に、所定のタイミングごとに受信強度が検知され、検知結果がＣＰＵ１１０に伝えられる。この受信強度センサは、従来から携帯電話機に一般的に搭載されているものであり、ここでは詳細な説明を省略する。
【０１０３】
ＣＰＵ１１０では、所定のタイミングごとに送られてくる検知結果が取得され（図１３のステップＳ２１）、検知結果と予め設定されている所定の閾値とが比較される。
【０１０４】
アンテナ３００の受信強度が所定の閾値以上である場合は（図１３のステップＳ２２：Ｎｏ）、次の検知結果が得られるまで待機される（図１３のステップＳ２５）。
【０１０５】
また、アンテナ３００の受信強度が所定の閾値よりも小さい、あるいは、アンテナ３００で電波が受信できない場合（図１３のステップＳ２２：Ｙｅｓ）、その状態が続くと（図１３のステップＳ２３）、ＣＰＵ１１０からアンテナ引出部３１０に、アンテナ３００の引き出しが指示される（図１３のステップＳ２４）。
【０１０６】
ここで、上述した携帯端末装置の基本形態において、アンテナで受信される電波の受信レベルが所定の閾値レベルを下回ったことを検知するレベル検知部を有し、上記指示部は、レベル検知部による検知を受けて、引出機構に引出指示を与えるもという応用形態は好適である。
【０１０７】
アンテナ３００の受信強度を検知する受信強度センサ（図示しない）は、上述したレベル検知部の一例に相当する。
【０１０８】
電波の受信強度が所定の閾値よりも低い場合にアンテナ３００の引き出しが指示されることによって、ユーザが携帯電話機で通信中に電波状態が悪い場所に移動した場合などに、自動的にアンテナ３００を引き出すことができる。
【０１０９】
以上で、第６実施形態の説明を終了し、第７実施形態について説明する。この第７実施形態は、アンテナ３００を引き出すためのアンテナ引出部の構成が第１実施形態とは異なる。本実施形態においても、第１実施形態と同じ要素については同じ符号を付して説明を省略し、第１実施形態との相違点についてのみ説明する。
【０１１０】
本実施形態の携帯電話機には、図４および図７に示すバネ３１４の付勢力を使ったアンテナ引出部３１０に代えて、圧縮気体による付勢力を使ったアンテナ引出部３１０＿７（図１４参照）が備えられている。
【０１１１】
図１４は、アンテナ３００およびアンテナ引出部３１０＿７の構成図である。
【０１１２】
図１４（Ａ）には、アンテナ３００が下部筐体１００Ｂ内に収容された状態が示されており、図１４（Ｂ）には、アンテナ３００が下部筐体１００Ｂから引き出された状態が示されている。
【０１１３】
図１４に示すように、アンテナ引出部３１０＿７は、図７に示す第１実施形態のアンテナ引出部３１０と同様に、筒状部材３１３と留め具３１２と解除部３１１が備えられている。また、本実施形態のアンテナ引出部３１０＿７では、図７に示すバネ３１４が設けられておらず、筒状部材３１３および圧縮ポンプ３１５内に空気が密閉されている。
【０１１４】
アンテナ３００が下部筐体１００Ｂ内に収容された状態では、図１４（Ａ）に示すように、アンテナ３００の後端部３０３が筒状部材３１３の奥に押し込まれることによって、筒状部材３１３内の空間Ｐに密閉された空気が圧縮される。その結果、空間Ｐ内の空気によってアンテナ３００が引出方向（矢印Ａ方向）に付勢されるとともに、アンテナ引出部３１０＿７の留め具３１２によってアンテナ３００の後端部３０３と中央部３０２がロックされる。
【０１１５】
また、ＣＰＵ１１０からアンテナ引出部３１０＿７にワンセグ機能の起動指示が与えられると、図７に示す第１実施形態のアンテナ引出部３１０と同様に、解除部３１１によって留め具３１２が動かされてロックが解除される。その結果、図７（Ｂ）に示すように、アンテナ３００の後端部３０３が空間Ｐ内の圧縮空気によって付勢され、アンテナ３００が下部筐体１００Ｂの外部に引き出される。
【０１１６】
アンテナ３００を下部筐体１００Ｂ内に収容するときには、ユーザがアンテナ３００の先端部３０１を引出方向とは逆方向（矢印Ａ方向とは逆方向）に押圧すると、アンテナ３００の先端部３０１が中央部３０２に収容され、中央部３０２が後端部３０３に収容され、アンテナ引出部３１０＿７の留め具３１２によって後端部３０３と中央部３０２がロックされる。
【０１１７】
ここで、付勢部材と制止部材と解除手段とを有する引出機構が備えられた携帯端末装置の応用形態に対し、上記付勢部材は、アンテナの引出し方向への移動を案内する筒部材と、筒部材内に密閉されアンテナの収容により圧縮された気体とで構成されたものであることが好ましい。
【０１１８】
筒状部材３１３は、上述した筒部材の一例に相当し、空間Ｐ内に密閉された空気は、上述した一例に相当する。
【０１１９】
このように、バネに代えて圧縮空気を利用することによっても、装置の複雑化を抑えてアンテナ３００を容易に引き出すことができる。
【０１２０】
以上で、第７実施形態の説明を終了し、第８実施形態について説明する。この第８実施形態も、アンテナ引出部の構成のみが第１実施形態と異なるため、第１実施形態と同じ要素については同じ符号を付して説明を省略し、第１実施形態との相違点についてのみ説明する。
【０１２１】
本実施形態の携帯電話機には、バネ３１４の付勢力を使った第１実施形態のアンテナ引出部３１０に代えて、電磁石を使ったアンテナ引出部３１０＿８（図１５参照）が備えられている。
【０１２２】
図１５は、アンテナ３００およびアンテナ引出部３１０＿８の構成図である。
【０１２３】
図１５（Ａ）には、アンテナ３００が下部筐体１００Ｂ内に収容された状態が示されており、図１５（Ｂ）には、アンテナ３００が下部筐体１００Ｂから引き出された状態が示されている。
【０１２４】
図１５に示すように、アンテナ引出部３１０＿８は、筒形状を有する筒状部材３１３の後端に電磁石３１６が取り付けられており、アンテナ３００は、後端部３０３の後端に磁石３１７が取り付けられている。
【０１２５】
アンテナ引出部３１０＿８においてアンテナ３００を引き出す指示が取得されていない状態では、図１５（Ａ）に示すように、アンテナ３００が筒状部材３１３内に収容されている。
【０１２６】
例えば、ユーザが上部筐体１００Ａを回転させてワンセグモードの設定を指示したり、アンテナ３００における電波の受信強度が低下した場合などには、ＣＰＵ１１０からアンテナ引出部３１０＿８に向けてアンテナ３００を引き出す指示が与えられる。アンテナ引出部３１０＿８では、電磁石３１６と磁石３１７とが反発し合うように、電磁石３１６に印加される電流の方向が制御されて電磁石３１６の極性が調整される。その結果、図１５（Ｂ）に示すように、電磁石３１６と磁石３１７とが反発してアンテナ３００が引出方向（矢印Ａ方向）に押し出され、アンテナ３００が下部筐体１００Ｂの外部に引き出される。
【０１２７】
また、例えば、ユーザが上部筐体１００Ａを元に戻して下部筐体１００Ｂに対して起立させると、ＣＰＵ１１０からアンテナ引出部３１０＿８に向けてアンテナ３００を収容する指示が与えられる。
【０１２８】
アンテナ３００を収容する指示が取得されると、アンテナ引出部３１０＿８では、電磁石３１６と磁石３１７とが引き合うように、電磁石３１６に印加される電流の方向が制御されて電磁石３１６の極性が反転される。その結果、図１５（Ａ）に示すように、電磁石３１６と磁石３１７とが引き合ってアンテナ３００が収容方向（矢印Ａ方向とは逆方向）に引っ張られ、アンテナ３００が下部筐体１００Ｂ内に収容される。
【０１２９】
ここで、上述した携帯端末装置の基本形態に対し、上記引出機構が、通電を受け、通電方向に応じてアンテナを引出し方向、および収容方向に移動させるものであることは好ましい。
【０１３０】
さらに、引出機構が、アンテナに固定された磁石と、筐体に固定された、通電方向に応じて磁気を反転させることにより、磁石と引き合う、あるいは反発し合う電磁石とを備えたものであることは好ましい。
【０１３１】
磁石３１７は、上述した磁石の一例にあたり、電磁石３１６は、上述した電磁石の一例に相当する。
【０１３２】
このように、アンテナ３００に磁石３１７を取り付けるとともに、アンテナ引出部３１０＿８に電磁石３１６を取付け、アンテナ３００の収容指示および引出指示に応じて電磁石３１６の磁極を調整することによって、アンテナ３００を下部筐体１００Ｂから自動で引き出すことができるとともに、アンテナ３００を下部筐体１００Ｂ内に自動で収容することができる。
【０１３３】
以上で、第８実施形態の説明を終了し、第９実施形態について説明する。この第９実施形態も、アンテナ引出部の構成のみが第１実施形態と異なるため、第１実施形態と同じ要素については同じ符号を付して説明を省略し、第１実施形態との相違点についてのみ説明する。
【０１３４】
本実施形態の携帯電話機には、バネ３１４の付勢力を使った第１実施形態のアンテナ引出部３１０に代えて、ローラを使ったアンテナ引出部３１０＿９（図１６参照）が備えられている。
【０１３５】
図１６は、アンテナ３００´およびアンテナ引出部３１０＿９の構成図である。
【０１３６】
図１６（Ａ）には、アンテナ３００´が下部筐体１００Ｂ内に収容された状態が示されており、図１６（Ｂ）には、アンテナ３００´が下部筐体１００Ｂから引き出された状態が示されている。
【０１３７】
図１６に示すように、アンテナ引出部３１０＿９には、通電方向に応じて正方向あるいは逆方向に回転するローラ３１８と、ローラ３１８の回転に伴って矢印Ｂ方向あるいは矢印Ｃ方向に移動する筒状部材３１９が備えられている。アンテナ引出部３１０＿９の筒状部材３１９とアンテナ３００´の後端部３０３´との間にはカム機構が設けられており、筒状部材３１０が矢印Ｂ方向あるいは矢印Ｃ方向に移動すると、アンテナ３００´はその逆の矢印Ｂ´方向あるいは矢印Ｃ´方向に移動する。
【０１３８】
ＣＰＵ１１０からアンテナ引出部３１０＿９に向けてアンテナ３００´を引き出す指示が与えられると、アンテナ引出部３１０＿９では、ローラ３１８が正方向に回転されて筒状部材３１９が矢印Ｃ方向に移動される。その結果、図１６（Ｂ）に示すように、アンテナ３００´が筒状部材３１９とは逆の矢印Ｃ´方向に移動されて、アンテナ３００´が下部筐体１００Ｂの外部に引き出される。
【０１３９】
また、ＣＰＵ１１０からアンテナ引出部３１０＿９に向けてアンテナ３００´を収容する指示が与えられると、アンテナ引出部３１０＿９では、ローラ３１８が逆方向に回転されて筒状部材３１９が矢印Ｂ方向に移動される。その結果、図１６（Ａ）に示すように、アンテナ３００´が筒状部材３１９とは逆の矢印Ｂ´方向に移動されて、アンテナ３００´が下部筐体１００Ｂ内に収容される。
【０１４０】
ここで、通電を受けてアンテナを引出し方向と収容方向に移動させる引出機構が備えられた携帯端末装置において、上記引出機構が、通電方向に応じた方向に回転するローラと、ローラとアンテナとの双方に連結され、ローラの回転に応じた方向にアンテナを移動させる移動手段とを備えたものであるという応用形態は好ましい。
【０１４１】
ローラ３１８は、上述したローラの一例にあたり、筒状部材３１９は、上述した移動手段の一例に相当する。
【０１４２】
このように、ローラ３１８の回転方向に応じてアンテナ３００´を移動させることによっても、アンテナ３００´の引出し、および収容を自動で行うことができる。
【０１４３】
ここで、上記では、上述した携帯端末装置の一例として携帯電話機が示されているが、この携帯端末装置は、ＰＤＡ（Ｐｅｒｓｏｎａｌ  Ｄｉｇｉｔａｌ  Ａｓｓｉｓｔａｎｔ）や、携帯型のゲーム機などであってもよい。
【０１４４】
以下、本発明の各種形態について付記する。
【０１４５】
（付記１）
通信機能を有する携帯端末装置において、
筐体と、
前記筐体に引き出し自在に収容されるアンテナと、
前記アンテナの引出しを指示する引出指示を受けて、該アンテナを前記筐体から引き出す引出機構と、
前記通信機能についての所定のイベントを受けて、前記引出機構に前記引出指示を与える指示部とを備えたことを特徴とする携帯端末装置。                          
【０１４６】
（付記２）
所定の操作を受けて前記通信機能の起動を検知する起動検知部を有し、前記指示部は、前記起動検知部による該通信機能の起動の検知を受けて、前記引出機構に前記引出指示を与えるものであることを特徴とする付記１記載の携帯端末装置。                
【０１４７】
（付記３）
前記アンテナで受信される電波の受信レベルが所定の閾値レベルを下回ったことを検知するレベル検知部を有し、前記指示部は、前記レベル検知部による検知を受けて、前記引出機構に前記引出指示を与えるものであることを特徴とする付記１記載の携帯端末装置。
【０１４８】
（付記４）
前記引出機構が、前記アンテナを引出し方向に付勢する付勢部材と、該アンテナの引出しを制止する制止部材と、前記引出指示を受けて該制止部材による該アンテナの引出しの制止を解除する解除手段とを備えたものであることを特徴とする付記１から３のうちのいずれか１項記載の携帯端末装置。                                            
【０１４９】
（付記５）
前記付勢部材は、一端側が前記筐体に固定され、該一端側に対する他端側で前記アンテナを引出し方向に押圧するバネであることを特徴とする付記４記載の携帯端末装置。
【０１５０】
（付記６）
前記付勢部材は、前記アンテナの前記引出し方向への移動を案内する筒部材と、該筒部材内に密閉され該アンテナの収容により圧縮された気体とで構成されたものであることを特徴とする付記４記載の携帯端末装置。
【０１５１】
（付記７）
前記引出機構が、通電を受け、該通電方向に応じて前記アンテナを引出し方向、および収容方向に移動させるものであることを特徴とする付記１または２記載の携帯端末装置。
【０１５２】
（付記８）
前記引出機構が、前記アンテナに固定された磁石と、前記筐体に固定された、通電方向に応じて磁気を反転させることにより、該磁石と引き合う、あるいは反発し合う電磁石とを備えたものであることを特徴とする付記７記載の携帯端末装置。
【０１５３】
（付記９）
前記引出機構が、通電方向に応じた方向に回転するローラと、該ローラと前記アンテナとの双方に固定され、該ローラの回転に応じた方向に該アンテナを移動させる移動手段とを備えたものであることを特徴とする付記７記載の携帯端末装置。
【０１５４】
（付記１０）
前記筐体は、表示画面を備えた上部筐体と、該上部筐体を開閉自在および該表示画面の面内方向に回転自在に保持する下部筐体とを備えたものであり、
前記起動検知部は、前記上部筐体の回転を検知する回転検知センサを備え、該上部筐体の回転を該回転検知センサで検知することによって前記通信機能の起動を検知するものであることを特徴とする付記２記載の携帯端末装置。
【０１５５】
（付記１１）
前記回転検知センサは、磁気センサであることを特徴とする付記１０記載の携帯端末装置。
【０１５６】
（付記１２）
前記回転検知センサは、機械スイッチであることを特徴とする付記１０記載の携帯端末装置。
【０１５７】
（付記１３）
前記回転検知センサは、フォトインタラプタであることを特徴とする付記１０記載の携帯端末装置。
【０１５８】
（付記１４）
前記回転検知センサは、前記下部筐体に備えられた、該下部筐体の傾きを検知する第１傾きセンサと、前記上部筐体に備えられた、該上部筐体の傾きを検知する第２傾きセンサとからなり、該第１傾きセンサで傾きが検知されず該第２センサで傾きが検知されたことをもって、該上部筐体の回転を検知するものであることを特徴とする付記１０記載の携帯端末装置。
【０１５９】
（付記１５）
前記筐体は、操作に応じた指示を入力するための複数のキーを備えたものであり、
前記起動検知部は、前記複数のキーのうちの所定のキーの操作を受けて、前記通信機能の起動を検知するものであることを特徴とする付記２記載の携帯端末装置。
【図面の簡単な説明】
【０１６０】
【図１】携帯端末装置の一実施形態である携帯電話機の外観斜視図である。
【図２】上部筐体が取り外された状態における下部筐体と連結部材の表面側を示す図である。
【図３】上部筐体の裏面側を示す図である。
【図４】携帯電話機の内部ブロック図である。
【図５】ワンセグモードが設定されてからアンテナが引き出されるまでの一連の処理の流れを示すフローチャート図である。
【図６】上部筐体を下部筐体に対して傾ける動作を示す図である。
【図７】アンテナおよびアンテナ引出部の構成図である。
【図８】第２実施形態の携帯電話機を示す図である。
【図９】第３実施形態の携帯電話機を示す図である。
【図１０】第４実施形態の携帯電話機における上部筐体と連結部材を示す図である。
【図１１】第４実施形態の上部筐体を下部筐体に対して傾ける動作を示す図である。
【図１２】第５実施形態においてテレビ番組が表示されたＬＣＤの一例を示す図である。
【図１３】第６実施形態においてアンテナが引き出されるまでの一連の処理の流れを示すフローチャート図である。
【図１４】第７実施形態のアンテナおよびアンテナ引出部の構成図である。
【図１５】第８実施形態のアンテナおよびアンテナ引出部の構成図である。
【図１６】第９実施形態のアンテナおよびアンテナ引出部の構成図である。
【符号の説明】
【０１６１】
１００    携帯電話機
１００Ａ    上部筐体
１００Ｂ    下部筐体
１００Ｃ    連結部材
１０１    液晶パネル
１０２    送話口
１０４    選択ボタン
１０５    プッシュボタン
１０６    受話口
１１０    ＣＰＵ
１１１    ＲＯＭ
１１２    不揮発メモリ
１１３    ＲＡＭ
１２１    マイクデバイス
１２２    表示デバイス
１２３    スピーカデバイス
１２４    キーデバイス
１２５    カメラデバイス
１２６    時計
１３１    近距離通信デバイス
１３２    遠距離通信デバイス
１３３    テレビデバイス
１４０    メディアコントローラ
１４１    記録メディア
１５０    充電池
２１１    磁気センサ
３００    アンテナ
３１０    アンテナ引出部
【図１】
2010124253.tif 000003
【図２】
2010124253.tif 000004
【図３】
2010124253.tif 000005
【図４】
2010124253.tif 000006
【図５】
2010124253.tif 000007
【図６】
2010124253.tif 000008
【図７】
2010124253.tif 000009
【図８】
2010124253.tif 000010
【図９】
2010124253.tif 000011
【図１０】
2010124253.tif 000012
【図１１】
2010124253.tif 000013
【図１２】
2010124253.tif 000014
【図１３】
2010124253.tif 000015
【図１４】
2010124253.tif 000016
【図１５】
2010124253.tif 000017
【図１６】
2010124253.tif 000018